(57)【特許請求の範囲】
【請求項１】
ケーブル（Ｃ）に長手方向中央から巻き付けられる帯状のグリップ本体部（２）と、このグリップ本体部（２）の長手方向両端側に設けられたリング部（３）とからなり、前記グリップ本体部（２）の長手方向中央側部分に、グリップ本体部（２）の長手方向両側部分（７）よりも幅狭な幅狭部（６）が形成されていることを特徴とするケーブルグリップ。
【請求項２】
グリップ本体部（２）は一本の帯素材から形成され、この帯素材の長手方向中央側部分を二つ折りにして該二つ折り部分を相互に固着することにより幅狭部（６）が形成されていることを特徴とする請求項１に記載のケーブルグリップ。
【請求項３】
グリップ本体部（２）の長手方向中央部に目印部材（８）が設けられていることを特徴とする請求項１又は２に記載のケーブルグリップ。
【発明の詳細な説明】
【技術分野】
【０００１】
本発明は、ケーブルを把持するケーブルグリップに関するものである。
【背景技術】
【０００２】
電力供給用、通信用等のケーブルを敷設する際において、該ケーブルを引っ張って軸方向移動させたり、該ケーブルを引っ張りながら横移動させたりする場合、ケーブルをケーブルグリップで把持し（ケーブルにケーブルグリップを取付け）、このケーブルグリップにフック等を介してワイヤーを連結し、このワイヤーをウインチ等の引っ張り手段によって引っ張るようにしている。
【０００３】
前記ケーブルグリップとして、ケーブルの中間部分（中途部分）を把持可能なケーブルグリップが特許文献１に記載されたものがある。
この特許文献１には、リング部と、このリング部に長手方向の一端側が取り付けられた多数本の細長い帯とからなるケーブルグリップと、多数本の細長い帯を重ね合わせて、その中央部を折り曲げてリング部を形成したケーブルグリップとが開示されている。
【先行技術文献】
【特許文献】
【０００４】
【特許文献１】特開平４−３６５７５４号公報
【発明の概要】
【発明が解決しようとする課題】
【０００５】
前記ケーブルグリップは、多数本の帯をリング部側からケーブルに螺旋状に交錯して巻き付けていき、その後、巻き付けた帯がほどけないように、各帯の遊端側の端部を止めるという手順で行われ、この従来のケーブルグリップにあっては、ケーブルに対する取付作業が面倒で大変であるという問題がある。
そこで、本発明は、前記問題点に鑑み、ケーブルに対する取付作業が容易なケーブルグリップを提供することを課題とする。
【課題を解決するための手段】
【０００６】
前記技術的課題を解決するために本発明が講じた技術的手段は、ケーブルに長手方向中央から巻き付けられる帯状のグリップ本体部と、このグリップ本体部の長手方向両端側に設けられたリング部とからなり、前記グリップ本体部の長手方向中央側部分に、グリップ本体部の長手方向両側部分よりも幅狭な幅狭部が形成されていることを特徴とする。
また、グリップ本体部は一本の帯素材から形成され、この帯素材の長手方向中央側部分を二つ折りにして該二つ折り部分を相互に固着することにより幅狭部が形成されているのがよい。
【０００７】
また、グリップ本体部の長手方向中央部に目印部材が設けられているのがよい。
【発明の効果】
【０００８】
本発明のケーブルグリップによれば、一本の帯状グリップ本体部を長手方向中央部からケーブルに巻き付けるだけであるので、ケーブルに対する取付作業が容易である。
また、前記グリップ本体部は、幅が広ければ広いほどケーブルとの間の摩擦抵抗が大きくなるので、ケーブルを把持するのに有利であるが、そうすると、一本の帯状のグリップ本体部を長手方向中央部からケーブルに巻き付けるようにしたケーブルグリップにあっては、ケーブルに巻き付けられたグリップ本体部の長手方向中央部（巻き始め部分）がケーブルの外周面からケーブルの径方向外方に大きく突出してしまい（図５（ｂ）参照）、該突出部分が何かの障害物に引っ掛かる惧れがある。
【０００９】
また、これを防止するために、グリップ本体部の幅を狭くすると、強度不足や、ケーブルに対する摩擦抵抗不足となる。
これに対し、本発明では、グリップ本体部の長手方向中央側部分に、グリップ本体部の長手方向両側部分よりも幅狭な幅狭部を形成したことにより、ケーブルに巻き付けられたグリップ本体部の長手方向中央部がケーブルの外周面からケーブルの径方向外方へ突出する突出量は小さく（図５（ａ）参照）、該グリップ本体部の巻き始め部分が何かの障害物に引っ掛かる惧れがない（又は少ない）。また、グリップ本体部の長手方向両側部分は、幅広であるので、ケーブルを確実に把持することができる。
【図面の簡単な説明】
【００１０】
【図１】ケーブルグリップの斜視図である。
【図２】（ａ）はケーブルグリップの平面図、（ｂ）はケーブルグリップの正面図である。
【図３】幅狭部端部側の斜視図である。
【図４】ケーブルに巻き付けたケーブルグリップの巻き始め部分を示す正面図である。
【図５】（ａ）は本発明のケーブルグリップをケーブルに巻き付けた状態の巻き始め部分の側面図、（ｂ）は比較例に係るケーブルグリップをケーブルに巻き付けた状態の巻き始め部分の側面図である。
【図６】本発明のケーブルグリップをケーブルに巻き付けた状態を示す正面図である。
【発明を実施するための形態】
【００１１】
以下、本発明の実施の形態を図面を参照して説明する。
図１、図２、図６において、１は、主として、ケーブルＣを敷設等する際におけるケーブルＣの中間引きに使用されるケーブルグリップである。
このケーブルグリップ１は、帯状のグリップ本体部２と、このグリップ本体部２の長手方向両端側にそれぞれ設けられたリング部３と、各リング部３に設けられた補強布４とを有する。
【００１２】
本実施形態では、グリップ本体部２とリング部３とは、ポリエステルなどの高強度の繊維を材料とし柔軟性・屈曲性に優れた一本の帯素材（織物ベルト）から形成されている。
なお、リング部３は、グリップ本体部２と別体で形成して該グリップ本体部２の長手方向の端部に縫着等によって固着するようにしてもよい。
前記グリップ本体部２は、長手方向中央側部分の幅狭部６と、この幅狭部６よりも幅広に形成された長手方向両側部分の幅広部７とから主構成されている。前記幅狭部６の長さは幅広部７の長さよりも短く形成されている。
【００１３】
前記幅狭部６の幅Ｗ１は幅広部７の幅Ｗ２の半分の幅に形成されている。
本実施形態では、幅狭部６は、図３に示すように、グリップ本体部２を構成する帯素材を幅方向に二つ折りにして、該二つ折りした部分を相互に縫着等によって固着することにより形成されている。
これによって、幅狭部６の強度確保が図られている。
【００１４】
なお、グリップ本体部２の幅狭部６は、帯素材を幅方向に観音開き折りにして、該部分を互いに縫着することにより、幅広部７の半分の幅狭に形成することもできるが、このようにすると、曲げ剛性が強くなって、曲げにくくなってケーブルＣに巻き付け難くなるという欠点があるが、本実施形態のものにあっては、幅狭部６の強度確保が図られると共に、屈曲性も確保することができる。
【００１５】
幅狭部６から幅広部７に至る部分（図３のＤ部分）は、幅方向に折り返した部分の折り幅を徐々に狭くすることにより、幅狭部６から幅広部７にかけて幅が徐々に幅広となるように形成されている。
幅狭部６の長手方向中央部はグリップ本体部２の中央部であり、このグリップ本体部２の中央部には、目印部材８が縫着されて取り付けられている。
【００１６】
前記リング部３は以下のようにして形成されている。
先ず、グリップ本体部２及びリング部３を構成する帯素材の長手方向の端部側を長手方向に折り返して、該帯素材の長手方向の端部側をグリップ本体部２の長手方向端部側に重ね合わせ、該重ね合わせた部分（図１、２のＡ部分）を相互に逢着することにより、リング状部分を形成する。
【００１７】
次に、このように形成されたリング状部分を内側に巻き三つ折りして該三つ折り部分を相互に逢着することによりリング部３が形成されている。
なお、グリップ本体部２の長手方向中央部から一方のリング部３までの寸法と、グリップ本体部２の長手方向中央部から他方のリング部３までの寸法とは同じ寸法に形成されている。
【００１８】
補強布４は、リング部３の、ケーブルグリップ１長手方向端部側に巻き付けられて縫着されている。
前記構成のケーブルグリップ１にあっては、図４、図５（ａ）、図６に示すように、グリップ本体部２をケーブルＣに長手方向の中央から巻き付けていく。
すなわち、グリップ本体部２の長手方向中央を境としたグリップ本体部２の長手方向一方側と他方側とを、螺旋状に且つ互いに交差するようにケーブルＣに巻き付ける。
【００１９】
このとき、グリップ本体部２の長手方向中央部に目印部材８が設けられているので、グリップ本体部２の長手方向中央が明確となり（巻き始め部分が明確となり）、グリップ本体部２を巻き終えた後に、一対のリング部３のケーブルＣの長手方向に関する位置が略同じ位置に一致する（一対のリング部３に位置ズレが略生じない）。
なお、ケーブルグリップ１は目印部材８が設けられている側とは反対側の面をケーブルＣに接触させるようにして巻き付ける。
【００２０】
グリップ本体部２を巻き付けた後、一対のリング部３を重ね合わせて両リング部３にワイヤーの一端側を直接又はフック等の連結具を介して連結し、該ワイヤーをウインチ等の引っ張り手段によって引っ張る。
すると、ケーブルグリップ１（のグリップ本体部２）は締まって、該ケーブルグリップ１によってケーブルＣがしっかりと把持（把掴）され、ケーブルＣを引っ張って軸方向移動させたり、該ケーブルＣを引っ張りながら横移動させたりすることができる。
【００２１】
本実施形態のケーブルグリップ１にあっては、一本の帯状グリップ本体部２を長手方向中央部からケーブルＣに巻き付けるだけであるので、ケーブルＣに対する取付作業が容易に行える。
また、前記グリップ本体部２は、幅が広ければ広いほどケーブルＣとの間の摩擦抵抗が大きくなるので、ケーブルＣを把持するのに有利であるが、そうすると、一本の帯状のグリップ本体部２を長手方向中央部からケーブルＣに巻き付けるようにしたケーブルグリップ１にあっては、図５（ｂ）に示すように、ケーブルＣに巻き付けられたグリップ本体部２の長手方向中央部がケーブルＣの外周面からケーブルＣの径方向外方に大きく突出してしまい（グリップ本体部２の長手方向中央部のケーブルＣの外周面からの突出量Ｂ１が大きく）、該突出部分１０が何かの障害物に引っ掛かる惧れがある。
【００２２】
また、これを防止するために、グリップ本体部２の幅を全体的に狭くすると、強度不足や、ケーブルＣに対する摩擦抵抗不足となる。
これに対し、前記実施形態のケーブルグリップ１では、グリップ本体部２の長手方向中央側部分に、グリップ本体部２の長手方向両側部分よりも幅狭な幅狭部６を形成したことにより、図５（ａ）に示すように、ケーブルＣに巻き付けられたグリップ本体部２の長手方向中央部がケーブルＣの外周面からケーブルＣの径方向外方への突出量Ｂ２は小さく、該グリップ本体部２の長手方向中央部が何かの障害物に引っ掛かる惧れがない（又は少ない）。また、グリップ本体部２の長手方向両側部分（幅広部７）は、幅広であるので、ケーブルＣを確実に把持することができる。
【００２３】
なお、図例では一本のケーブルＣにケーブルグリップ１を取り付けた場合を図示しているが、束ねられた複数本のケーブルに対してケーブルグリップ１を取り付けるようにしてもよい。
【符号の説明】
【００２４】
２    グリップ本体部
３    リング部
６    幅狭部
７    グリップ本体部の長手方向両側部分（幅広部）
８    目印部材
９    ケーブル
【図１】
0005555573.tif 000002
【図２】
0005555573.tif 000003
【図３】
0005555573.tif 000004
【図４】
0005555573.tif 000005
【図５】
0005555573.tif 000006
【図６】
0005555573.tif 000007